(57)【要約】      （修正有）【課題】意匠性・施工性等を向上させた洗濯機用防水パンを提供する。【解決手段】排水用の開口部を有する底面３と、底面３の周囲から上方に向かって立設する周壁５と、洗濯機を載置する複数の足置き台４を有する防水パン本体２と、足置き台４間の隙間を覆うカバー部材３０と、からなる洗濯機用防水パン１において、カバー部材３０が、防水パン本体２の外側面に取り付けられ、カバー部材３０の外壁部３１によって足置き台４間の側方の隙間を覆うとともに、目隠し板部３２によって足置き台４間の上方の隙間を覆う。【選択図】図２
2014227778.tif 000002
【特許請求の範囲】
【請求項１】
排水用の開口部を有する底面と、
底面の周囲から上方に向かって立設する周壁と、
洗濯機を載置する複数の足置き台を有する防水パン本体と、
足置き台間の隙間を覆うカバー部材と、
からなる洗濯機用防水パンにおいて、
前記カバー部材が、前記防水パン本体の外側面に取り付けられて、前記隙間を防水パン本体の外側から覆う外壁部を有することを特徴とする洗濯機用防水パン。
【請求項２】
前記カバー部材の縦幅及び横幅が、防水パン本体の縦幅及び横幅と略同一であることを特徴とする請求項１に記載の洗濯機用防水パン。
【請求項３】
防水パン本体の隣接する２つ以上の外側面に前記カバー部材が取り付けられた場合において、当該取り付けられたカバー部材同士が干渉しない形状に形成されていることを特徴とする請求項１又は請求項２に記載の洗濯機用防水パン。
【請求項４】
前記カバー部材の外壁部端部が、平面視略４５°以下に傾斜していることを特徴とする請求項３に記載の洗濯機用防水パン。
【請求項５】
前記足置き台はその上面において、前記カバー部材上端が係止することを特徴とする請求項１乃至請求項４のいずれか１つに記載の洗濯機用防水パン。
【請求項６】
前記防水パン本体は側面下端に係合部を有し、
前記カバー部材下端が上記係合部に係合することを特徴とする請求項１乃至請求項５のいずれか１つに記載の洗濯機用防水パン。
【請求項７】
前記カバー部材が、防水パン本体の内側へ向けて突設する目隠し板部を有することを特徴とする請求項１乃至請求項６のいずれか１つに記載の洗濯機用防水パン。
【請求項８】
前記カバー部材が、目隠し板部上にこぼれた排水等が外部へ漏水することを防止する、漏水防止機構を有することを特徴とする請求項７に記載の洗濯機用防水パン。
【請求項９】
前記カバー部材について、複数のカラー等のバリエーションを用意し、使用者が当該バリエーションより任意のカバー部材を選択可能としたことを特徴とする請求項１乃至請求項８のいずれか１つに記載の洗濯機用防水パン。
【発明の詳細な説明】
【技術分野】
【０００１】
本発明は、洗濯機を載置する洗濯機用防水パンに関するものである。
【背景技術】
【０００２】
従来の洗濯機用防水パンは、四隅に洗濯機を載置するための足置き台が設けられているとともに、防水パン本体上に生じた排水や、洗濯機の使用により生じた排水を処理するために、排水トラップが取り付けられている。当該排水トラップは防水パン本体の底面に設けられた開口部に取り付けられており、封水椀、防臭筒等、内部の部材を取り外して清掃することが可能となっている。
しかし、従来の洗濯機用防水パンにおいては、上方に洗濯機が載置されているために排水トラップの部材を取り外すことが可能な程度の隙間がなく、排水トラップを取り外して清掃することが困難であった。
又、同様に、上方に洗濯機が載置されていることから、洗濯機用防水パン自体の清掃が困難であった。
【０００３】
そこで、特許文献１や特許文献２に記載の洗濯機用防水パンにおいては、洗濯機が載置される足置き台の高さを高くすることによって、排水トラップの部材を引き抜くことが可能な程度の隙間を形成することで、排水トラップの取り外しや洗濯機用防水パン自体の清掃が可能となった。
【０００４】
上記の足置き台の高さを高くした洗濯機用防水パンは従来の洗濯機用防水パンが有する問題点を解決したが、一方で、足置き台の間の隙間が大きくなっていることから、排水トラップや防水パン本体の底面が露出するため見栄えが悪く、又、当該隙間より埃やペットが侵入する等、足置き台の高さを高くして隙間を確保したことによる新たな問題が生じた。
そこで、上記各特許文献においては、意匠性の向上、埃やペットの侵入防止、漏水の防止等を目的として、防水パン本体にカバー部材を設けて足置き台の隙間を覆う構造となっている。
【先行技術文献】
【特許文献】
【０００５】
【特許文献１】特許第４６３４２５５号公報
【特許文献２】特許第４８６６１９３号公報
【発明の概要】
【発明が解決しようとする課題】
【０００６】
しかし、各特許文献に記載のカバーは以下のような問題点を有している。
特許文献１に記載のカバー部材は、足置き台間の凹条の窪みの中（足置き台間の隙間の中）に載置される構造であるため、カバー部材の形状は上記隙間と完全に同一の形状をしていなければ隙間を埋めることが不可能な構成になっている。カバー部材は比較的大きな薄板状の成型品であるため成型後に反り等が発生しやすく、カバー部材の形状を上記隙間と完全に同一にすることは困難であった。従って、特許文献１に記載の洗濯機用防水パンは、防水パン本体とカバー部材との間に隙間が残ってしまうため、意匠性が悪かった。
一方、特許文献２に記載のカバー部材は、両端を湾曲させながら足置き台の内面に設けたスリットに挿入する構造である。従って、上記特許文献１に記載の洗濯機用防水パンよりも足置き台間の隙間を覆い易いが、両端を湾曲させながらスリットに挿入する構造は施工性が非常に悪い。
【０００７】
本発明は上記問題点に鑑み発明されたものであって、意匠性・施工性等を向上させた洗濯機用防水パンを提供することを課題とする。
【課題を解決するための手段】
【０００８】
上記課題を解決するための請求項１に記載の本発明は、排水用の開口部を有する底面と、
底面の周囲から上方に向かって立設する周壁と、
洗濯機を載置する複数の足置き台を有する防水パン本体と、
足置き台間の隙間を覆うカバー部材と、
からなる洗濯機用防水パンにおいて、
前記カバー部材が、前記防水パン本体の外側面に取り付けられて、前記隙間を防水パン本体の外側から覆う外壁部を有することを特徴とする洗濯機用防水パンである。
【０００９】
請求項２に記載の本発明は、前記カバー部材の縦幅及び横幅が、防水パン本体の縦幅及び横幅と略同一であることを特徴とする請求項１に記載の洗濯機用防水パンである。
【００１０】
請求項３に記載の本発明は、防水パン本体の隣接する２つ以上の外側面に前記カバー部材が取り付けられた場合において、当該取り付けられたカバー部材同士が干渉しない形状に形成されていることを特徴とする請求項１又は請求項２に記載の洗濯機用防水パンである。
【００１１】
請求項４に記載の本発明は、前記カバー部材の外壁部端部が、平面視略４５°以下に傾斜していることを特徴とする請求項３に記載の洗濯機用防水パンである。
【００１２】
請求項５に記載の本発明は、前記足置き台はその上面において、前記カバー部材上端が係止することを特徴とする請求項１乃至請求項４のいずれか１つに記載の洗濯機用防水パンである。
【００１３】
請求項６に記載の本発明は、前記防水パン本体は側面下端に係合部を有し、
前記カバー部材下端が上記係合部に係合することを特徴とする請求項１乃至請求項５のいずれか１つに記載の洗濯機用防水パンである。
【００１４】
請求項７に記載の本発明は、前記カバー部材が、防水パン本体の内側へ向けて突設する目隠し板部を有することを特徴とする請求項１乃至請求項６のいずれか１つに記載の洗濯機用防水パンである。
【００１５】
請求項８に記載の本発明は、前記カバー部材が、目隠し板部上にこぼれた排水等が外部へ漏水することを防止する、漏水防止機構を有することを特徴とする請求項７に記載の洗濯機用防水パンである。
【００１６】
請求項９に記載の本発明は、前記カバー部材について、複数のカラー等のバリエーションを用意し、使用者が当該バリエーションより任意のカバー部材を選択可能としたことを特徴とする請求項１乃至請求項８のいずれか１つに記載の洗濯機用防水パンである。
【発明の効果】
【００１７】
請求項１に記載の本発明においては、足置き台間の隙間を防水パン本体の外側から覆うため、当該隙間を残すことなく完全に覆うことができる。
請求項２に記載の本発明においては、カバー部材を防水パン本体に取り付けた際において、カバー部材が防水パン本体の前面を全て覆うため、従来のように、カバー部材と防水パン本体との継ぎ目などが生じず、意匠性が高い。
請求項３、請求項４に記載の本発明においては、防水パン本体の二面以上にカバー部材と取り付けた際において、各カバー部材の端部同士が干渉せず、さらに意匠性が向上する。
請求項５、請求項６に記載の本発明は、カバー部材の取り付け方法を明確にすることができる。又、カバー部材の上端と下端が防水パン本体に取り付けられた場合、防水パン本体によって、カバー部材の反りを抑えることが可能となる。
請求項７に記載の本発明は、目隠し板部によって排水トラップや防水パン本体の底面が覆われるため、更に意匠性が向上する。
請求項８に記載の本発明は、目隠し板部に漏水防止機構を設けることにより、洗濯機用防水パンの性能を向上させることができる。
請求項９に記載の本発明は、カバー部材にバリエーションを持たせることで、使用者が好むカバー部材を選択し、部屋等との調和を図ることができる。
【図面の簡単な説明】
【００１８】
【図１】洗濯機用防水パンを示す分解斜視図である。
【図２】カバー部材の取り付け状態を示す斜視図である。
【図３】防水パン本体を示す斜視図である。
【図４】排水トラップを示す断面図である。
【図５】カバー部材を示す（ａ）斜視図、（ｂ）（ａ）とは異なる向きから見た斜視図である。
【図６】カバー部材を示す側面図である。
【図７】カバー部材を示す平面図である。
【図８】洗濯機を設置している状態を示す正面図である。
【図９】防水パン本体の二面にカバー部材を取り付けた状態を示す平面図である。
【図１０】図９の一部拡大平面図である。
【図１１】カバー部材の変形例を防水パン本体に取り付けた状態を示す一部拡大平面図である。
【図１２】漏水防水機構を有するカバー部材を示す（ａ）斜視図、（ｂ）（ａ）とは異なる向きから見た斜視図である。
【図１３】カバー部材が溝に係止する構造を示す断面図である。
【図１４】カバー部材が溝に係止している状態を示す断面図である。
【発明を実施するための形態】
【００１９】
以下に、本発明の実施形態について、図面を参照しながら詳細に説明する。尚、以下の説明は実施形態の理解を容易にするためのものであり、これによって本発明が制限して理解されるものではない。又、以下の説明では、特に断りの無い限り、図２の状態を基準として上下左右を説明する。
【００２０】
図１乃至図８に示す本発明の第一実施形態に係る洗濯機用防水パン１は防水パン本体２、排水トラップ２０、及びカバー部材３０より構成されている。
【００２１】
防水パン本体２はＦＲＰ等の樹脂材料によって形成され、平面視略正方形形状であり、底面３、足置き台４、周壁５、係合部６、開口部７より構成されている。
足置き台４は底面３の四隅より上方へ向けて立設されているとともに平面視略正方形形状であり、上面において滑り止め８、突条９がさらに上方へ向けて立設されている。尚、滑り止め８は足置き台４の上面全体に形成されており、突条９は防水パン本体２の側面から連続して、足置き台４の周縁に沿って形成されている。
周壁５は防水パン本体２の足置き台間の周縁を囲うように立設されて、底面３上に生じた排水が防水パン本体２の外側へと飛び出することを防ぐ壁体であり、その端部は足置き台４の側面と連続している。周壁５は上記突条９と同様に、防水パン本体２の側面から連続して形成されているが、周壁５の内側は、後述する排水トラップ２０の部材を取り出しやすい様、なだらかに傾斜している。
係合部６は防水パン本体２の外周下端に形成された切り欠きであり、一面について３箇所設けられている。尚、係合部６は後述するカバー部材３０の突部３４に対応して係合可能となっている。
開口部７は足置き台４間に形成された円形の開口であって、排水トラップ２０が取り付けられている。開口部７近傍は周囲より一段低く、排水トラップ２０が取り付けられた際に、排水トラップ２０の上面が底面３と略面一になるように形成されている。
ここで、底面３は開口部７へ向けて緩やかに傾斜しており、底面３上に生じた排水は開口部７へと導かれるとともに、開口部７より排水トラップ２０に流入し、下水側へ排出される。
【００２２】
排水トラップ２０は、トラップ本体２１、フランジ部材２２、封水椀２３、防臭筒２４、洗濯機用接続管２５、目皿２８より構成される。
トラップ本体２１は有底略円筒状にして、上方に開口を備えるとともに、側方において排出口２６を備えている。また、前記上方の開口の内周面には雌螺子が形成されており、フランジ部材２２と螺合することで防水パン本体２の開口部７の周縁を挟持し、固定することができる。
フランジ部材２２は略円筒形状であって、外周面に上記トラップ本体２１に形成された雌螺子と螺合する雄螺子が形成されている。又、内周面において、後述する防臭筒２４が係合可能な突起を有するとともに、内周面下端に、防臭筒２４と水密に当接するための内向きフランジと、封水椀２３をつり下げる突起を有している。
封水椀２３は、上方が開放された有底筒状の椀形状であり、側面に開口を備えている。また、封水椀２３はその上方がフランジ部材２２につり下げられるように構成されている。
防臭筒２４は略円筒状であって、その上方部分はすり鉢形状をしている。また、施工完了時において、防臭筒２４の上端は前記フランジ部材２２と水密に係合するとともに、下端は封水椀２３内部であって、封水椀２３側面の開口よりも下端に配置される。
洗濯機用接続管２５は、直管部分を有するとともに、下端が分岐する略Ｔ字形状の管体である。洗濯機用接続管２５は施工時において、直管部分が防臭筒内に配置され、分岐部分は防臭筒２４よりも下方且つ封水椀２３の底面より上方に配置される。尚、洗濯機用接続管２５は、その上端において、エルボ部材２７を介して洗濯機１００と連結する。
目皿２８は複数の孔を有する円形の部材であって、フランジ部材２２に取り付けられて、排水中の大きなゴミ等を分離・捕集する機能を有している。
【００２３】
施工状態において、洗濯機用接続管２５はエルボ部材２７を介して洗濯機１００と連結されているが、洗濯機用接続管２５とエルボ部材２７との連結を解除することで、足置き台４間の隙間より上記排水トラップ２０を構成する各部材のうち、封水椀２３、防臭筒２４、洗濯機用接続管２５、目皿２８を防水パン本体２より取り外すことが可能となっている。
【００２４】
カバー部材３０は正面視矩形且つ側面視略Ｌ字状の板部材であって、外壁部３１と、該外壁部３１より屈曲して形成された目隠し板部３２より構成される。
外壁部３１は正面視略長方形形状であって、上端及び下端において係止部３３及び突部３４を有している。外壁部３１の横幅（長辺）Ｗ１及び縦幅（短辺）Ｈ１は、それぞれ防水パン本体２の横幅Ｗ２及び縦幅Ｈ２と略同一となるよう形成されているとともに、平面視における外壁部３１端部の外壁部３１に対する角度θは略４５°となっている。（具体的には、カバー部材３０の横幅Ｗ１は防水パン本体２の横幅Ｗ２よりもやや小さく、カバー部材３０の縦幅Ｈ１は防水パン本体２の縦幅Ｈ２よりもやや大きい。）
係止部３３は外壁部３１の上端に形成され、外壁部３１を１８０°折り返すことによって形成され、後述するように、足置き台４の突条９に引っ掛けることで係止可能となっている。突部３４は外壁部３１下端に３箇所形成されており、前記防水パン本体２の係合部６と係合可能となっている。
目隠し板部３２は外壁部３１の上端中央より、カバー部材３０の背面方向に向けて約９０°屈曲し、足置き台４間の隙間を覆い隠す位置に形成されている。
【００２５】
以下に、上記カバー部材３０の取り付けについて記載する。尚、カバー部材３０は防水パン本体２の外側面に取り付けられるが、本実施形態において、当該カバー部材３０が取り付けられる外側面は、洗濯機１００の使用時に使用者が立っている側（前面）であって、開口部７が設けられている側の外側面である。
まず、防水パン本体２の上方より、カバー部材３０の係止部３３を足置き台４の突条９に引っ掛けて係止させる。この時、カバー部材３０の上端を下方に向けてやや傾斜させつつ作業を行うと、目隠し板部３２が洗濯機１００に干渉することなく、係止を行い易い。
次に、係止部３３を突条９に係止させた状態で、該係止箇所を軸としてカバー部材３０を回転させ、カバー部材３０の下端に設けられた突部３４を防水パン本体２の下端に形成された係合部６に係合させる。
本発明の洗濯機用防水パン１においては、以上の動作のみで防水パン本体２の外側面にカバー部材３０を取り付けることができる。尚、取り付け完了時において、カバー部材３０はその上端と下端が防水パン本体２に係止・係合されるため、カバー部材３０の反り等を抑えることができる。
【００２６】
ここで、図２、図８に示すように、カバー部材３０が防水パン本体２に取り付けられた際において、外壁部３１が足置き台４間の側方の隙間を完全に覆うとともに、目隠し板部３２が足置き台４間の上方の隙間を完全に覆うように配置される。従って、本発明の洗濯機用防水パン１においては足置き台４間の隙間がカバー部材３０によって完全に覆われるため意匠性が高い。又、カバー部材３０の横幅Ｗ１及び縦幅Ｈ１はともに防水パン本体２の横幅Ｗ２及び縦幅Ｈ２と略同一であることから、カバー部材３０は防水パン本体２の全面をほぼ完全に覆い、非常に意匠性が高い。
【００２７】
尚、カバー部材３０を取り外す際には上記取り付け時と反対の動作を行うだけで良く、施工性に優れている。
【００２８】
カバー部材３０を取り外した状態においては、前述の排水トラップ２０の部材（封水椀２３、防臭筒２４、洗濯機用接続管２５、目皿２８）を防水パン本体２より取り外すことができる。この時、周壁５の内側はなだらかに傾斜しているため、排水トラップ２０の各部材が周壁５に引っ掛かることなく、傾斜に沿って取り外すことができる。
【００２９】
上記図１乃至図８において、カバー部材３０は四面ある外側面の一面にのみ取り付けられていたが、本発明の洗濯機用防水パン１においては、カバー部材３０を防水パン本体２の二面以上に取り付けても良い。この場合、防水パン本体２が平面視略正方形形状であるため、同一形状のカバー部材３０を二枚使うことで対応することができる。
カバー部材３０の外壁部３１端部は平面視において、外壁部３１に対して約４５°となるよう形成されているため、防水パン本体２の二つ以上の隣接する側面にカバー部材３０を取り付けた際には、図９、図１０に示すように、互いのカバー部材３０の端部が干渉することがなく、防水パン本体２のコーナーをぴったりと覆うことができる。洗濯機用防水パン１を部屋の角部分等に配置した時等においては、上記のようにカバー部材３０同士の端部が防水パン本体２の角をぴったりと覆う構造は、特に有効である。
【００３０】
本発明の第一実施形態に係る洗濯機用防水パン１は以上であるが、本発明は上記第一実施形態に係る構造に限られるものではなく、発明の要旨を逸脱しない範囲内において種々の設計変更が可能である。
例えば、第一実施形態においてはカバー部材３０の外壁部３１端部を平面視において約４５°となるよう形成しているが、カバー部材３０の形状はこれに限られるものではない。即ち、平面視において、防水パン本体２の対向する頂点同士を繋ぐことで四等分される領域内にカバー部材３０が収まり、他の領域内に干渉することのない形状であれば、同形状のカバー部材３０を複数防水パン本体２に取り付けても互いが干渉することなく収まるものである。（特に、外壁部３１端部は平面視において４５°以下であればより干渉が生じにくい。）一方で、図１１に示すように、カバー部材３０の突き当たる端部の形状が互いに相違している場合には、同一の形状のカバー部材３０を二枚使用しても良く、形状の異なるカバー部材３０を一枚ずつ使用しても良い。（尚、図１１（ａ）においては一方の端部が約３０°、他方が約６０°となっている。又、図１１（ｂ）においてはお互いが対応する凹凸を形成している。）
【００３１】
又、上記第一実施形態に記載のカバー部材３０においては、目隠し板部３２上に排水が生じた場合に洗濯機用防水パン１の外に排水が飛び出す（漏水する）恐れがある。従って、図１２に示すように、漏水防止機構として、目隠し板部３２上に、足置き台４の突条９と同様の突条３６を設けても良い。又、第一実施形態に係る目隠し板部３２は略水平に延びているが、目隠し板部３２を下方に向けて傾斜させる等することによって漏水防止機構を形成しても良い。
又、上記実施形態に記載したカバー部材３０の目隠し板部３２は、足置き台４の上面よりも高い位置に配置されていたが、足置き台４の上面と同一、及び足置き台４の上面よりも低い位置に配置されていても良い。
【００３２】
又、上記第一実施形態において、足置き台４は防水パン本体２と一体であったが、特許第４６３４２３７号（特開２００７−２６１４）に記載の洗濯機用防水パンのように、足置き台４が防水パン本体２とは別パーツとなっている洗濯機用防水パンにおいても当然に使用することが可能である。
【００３３】
又、カバー部材３０は足置き台４に設けられた突条９に係止する構造となっていたが、本発明は突条９に係止される構造に限定されるものではなく、例えば図１３及び図１４に示すように、足置き台４に設けられた溝１１に係止されるなど、種々の改良を施しても良い。
【００３４】
又、カバー部材３０の形状においては、出荷時において、防水パン本体２の内部にカバー部材３０が配置されて梱包可能な形状になっていることが好ましい。
【００３５】
又、本発明のカバー部材３０は防水パン本体２の全面を覆う構成となることから、赤・黄・青等、様々なカラーや模様、又は防カビ・撥水・親水コーティング等、カバー部材３０のバリエーションを用意し、使用者が任意のカラー等を選択可能とすることで、さらに意匠性を向上させることができる。
【符号の説明】
【００３６】
１        洗濯機用防水パン
２        防水パン本体
３        底面
４        足置き台
５        周壁
６        係合部
７        開口部
８        滑り止め
９、３６  突条
２０      排水トラップ
２１      トラップ本体
２２      フランジ部材
２３      封水椀
２４      防臭筒
２５      洗濯機用接続管
２６      排出口
２７      エルボ部材
２８      目皿
３０      カバー部材
３１      外壁部
３２      目隠し板部
３３      係止部
３４      突部
１００    洗濯機
【図１】
2014227778.tif 000003
【図２】
2014227778.tif 000004
【図３】
2014227778.tif 000005
【図４】
2014227778.tif 000006
【図５】
2014227778.tif 000007
【図６】
2014227778.tif 000008
【図７】
2014227778.tif 000009
【図８】
2014227778.tif 000010
【図９】
2014227778.tif 000011
【図１０】
2014227778.tif 000012
【図１１】
2014227778.tif 000013
【図１２】
2014227778.tif 000014
【図１３】
2014227778.tif 000015
【図１４】
2014227778.tif 000016